(57)【要約】【課題】  発信相手からの通話の頭が切れることなく通話を行うことができるターミナル装置を得る。【解決手段】  制御部２は、電話機２０からＰＳＴＮ回線３０への発信の際にスイッチ６を介して入力されるダイヤル情報を、ダイヤル番号送出部８を用いてＰＳＴＮ回線３０に送出して発信を行う。この発信に対して発信相手が応答すると、極性反転検出部９はこの応答を検出し、制御部２は極性反転検出部９による応答検出に応答して、スイッチ制御部１０によりスイッチ６を制御して電話機２０をＰＳＴＮ回線３０側へ接続する。【選択図】      図１                                                  
2005184161.tif 000002
【特許請求の範囲】
【請求項１】
電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置であって、
前記電話機から前記第１の通信回線への発信に対する発信相手の着信応答を検出する応答検出手段を含み、前記スイッチ手段は、前記応答検出手段による着信応答の検出に応答して前記電話機の接続を前記第１の通信回線側へ切替えることを特徴とするターミナル装置。
【請求項２】
前記電話機から前記第１の通信回線への発信の際に入力されるダイヤル情報の１桁毎の時間間隔を基に前記ダイヤル情報の入力の終了を判定する第１の判定手段を含み、前記スイッチ手段は、着信応答なく前記第１の判定手段により前記ダイヤル情報の入力終了と判定されると、前記電話機の接続を前記第１の通信回線側へ切替えることを特徴とする請求項１記載のターミナル装置。
【請求項３】
前記電話機からダイヤル情報の各桁が入力される度に前記第１の通信回線への発信か否か判定する第２の判定手段と、前記第２の判定手段により前記第１の通信回線への発信と判定されると既に入力された前記ダイヤル情報の各桁を前記スイッチ手段により前記電話機の接続を前記第１の通信回線側へ切替えることなく前記第１の通信回線に送出すると共に、以降に入力される前記ダイヤル情報の各桁を前記スイッチ手段により前記電話機の接続を前記第１の通信回線側へ切替えることなく前記第１の通信回線に順次送出して発信を行う手段とを含むことを特徴とする請求項１又は２記載のターミナル装置。
【請求項４】
前記第１の通信回線はＰＳＴＮ（Ｐｕｂｌｉｃ  Ｓｗｉｔｃｈｅｄ  Ｔｅｌｅｐｈｏｎｅ  Ｎｅｔｗｏｒｋ）回線であり、前記第２の通信回線はＩＰ（Ｉｎｔｅｒｎｅｔ  Ｐｒｏｔｏｃｏｌ）網であることを特徴とする請求項１〜３いずれか記載のターミナル装置。
【請求項５】
電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置の動作制御方法であって、
前記電話機から前記第１の通信回線への発信に対する発信相手の着信応答を検出するステップと、着信応答の検出に応答して前記スイッチ手段により前記電話機の接続を前記第１の通信回線側へ切替えるステップとを含むことを特徴とする動作制御方法。
【請求項６】
前記電話機から前記第１の通信回線への発信の際に入力されるダイヤル情報の１桁毎の時間間隔を基に前記ダイヤル情報の入力の終了を判定するステップと、着信応答なく前記ダイヤル情報の入力終了と判定されると前記スイッチ手段により前記電話機の接続を前記第１の通信回線側へ切替えるステップとを含むことを特徴とする請求項５記載の動作制御方法。
【請求項７】
前記電話機からダイヤル情報の各桁が入力される度に前記第１の通信回線への発信か否か判定するステップと、前記第１の通信回線への発信と判定されると既に入力された前記ダイヤル情報の各桁を前記スイッチ手段により前記電話機の接続を前記第１の通信回線側へ切替えることなく前記第１の通信回線に送出すると共に、以降に入力される前記ダイヤル情報の各桁を前記スイッチ手段により前記電話機の接続を前記第１の通信回線側へ切替えることなく前記第１の通信回線に順次送出して発信を行うステップとを含むことを特徴とする請求項５又は６記載の動作制御方法。
【請求項８】
前記第１の通信回線はＰＳＴＮ（Ｐｕｂｌｉｃ  Ｓｗｉｔｃｈｅｄ  Ｔｅｌｅｐｈｏｎｅ  Ｎｅｔｗｏｒｋ）回線であり、前記第２の通信回線はＩＰ（Ｉｎｔｅｒｎｅｔ  Ｐｒｏｔｏｃｏｌ）網であることを特徴とする請求項５〜７いずれか記載の動作制御方法。
【請求項９】
電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置の動作制御方法をコンピュータに実行させるためのプログラムであって、
前記電話機から前記第１の通信回線への発信に対する発信相手の着信応答を検出するステップと、着信応答の検出に応答して前記スイッチ手段により前記電話機の接続を前記第１の通信回線側へ切替えるステップとを含むことを特徴とするプログラム。
【請求項１０】
前記電話機から前記第１の通信回線への発信の際に入力されるダイヤル情報の１桁毎の時間間隔を基に前記ダイヤル情報の入力の終了を判定するステップと、着信応答なく前記ダイヤル情報の入力終了と判定されると前記スイッチ手段により前記電話機の接続を前記第１の通信回線側へ切替えるステップとを含むことを特徴とする請求項９記載のプログラム。
【請求項１１】
前記電話機からダイヤル情報の各桁が入力される度に前記第１の通信回線への発信か否か判定するステップと、前記第１の通信回線への発信と判定されると既に入力された前記ダイヤル情報の各桁を前記スイッチ手段により前記電話機の接続を前記第１の通信回線側へ切替えることなく前記第１の通信回線に送出すると共に、以降に入力される前記ダイヤル情報の各桁を前記スイッチ手段により前記電話機の接続を前記第１の通信回線側へ切替えることなく前記第１の通信回線に順次送出して発信を行うステップとを含むことを特徴とする請求項９又は１０記載のプログラム。
【請求項１２】
前記第１の通信回線はＰＳＴＮ（Ｐｕｂｌｉｃ  Ｓｗｉｔｃｈｅｄ  Ｔｅｌｅｐｈｏｎｅ  Ｎｅｔｗｏｒｋ）回線であり、前記第２の通信回線はＩＰ（Ｉｎｔｅｒｎｅｔ  Ｐｒｏｔｏｃｏｌ）網であることを特徴とする請求項９〜１１いずれか記載のプログラム。
【発明の詳細な説明】
【技術分野】
【０００１】
本発明はターミナル装置及びその動作制御方法並びにプログラムに関し、特にＰＳＴＮ（Ｐｕｂｌｉｃ  Ｓｗｉｔｃｈｅｄ  Ｔｅｌｅｐｈｏｎｅ  Ｎｅｔｗｏｒｋ）回線による通話とＩＰ（Ｉｎｔｅｒｎｅｔ  Ｐｒｏｔｏｃｏｌ）網による通話の両方に対応したターミナル装置に関する。
【背景技術】
【０００２】
図３は従来のＶｏＩＰ（Ｖｏｉｃｅ  ｏｖｅｒ  Ｉｎｔｅｒｎｅｔ  Ｐｒｏｔｏｃｏｌ）通話とアナログ電話の両方に対応したターミナル装置の構成を示す図である。
【０００３】
図３において、従来のターミナル装置１００は、制御部２と、回線インタフェース３と、電話機インタフェース４と、ＰＳＴＮインタフェース５と、スイッチ６と、桁間タイマ設定テーブル７と、ダイヤル番号送出部８と、スイッチ制御部１０と、コーデック１１とを有している。
【０００４】
ターミナル装置１００は、電話機２０を接続可能であり、電話機２０をアナログの公衆回線であるＰＳＴＮ公衆回線３０とＩＰ電話の送受が可能であるＶｏＩＰ対応ネットワーク４０に対して選択して接続することができる。制御部２は、ターミナル装置１００の動作を制御するものである。
【０００５】
回線インタフェース３は、ＶｏＩＰ技術を使用したＩＰ電話を使用可能なＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ  （Ｆｉｂｅｒ  Ｔｏ  Ｔｈｅ  Ｈｏｍｅ）、１０ＢＡＳＥ−Ｔ、１００ＢＡＳＥ−ＴＸ等のＴＣＰ（Ｔｒａｎｓｍｉｓｓｉｏｎ  Ｃｏｎｔｒｏｌ  Ｐｒｏｔｏｃｏｌ）／ＩＰによるＶｏＩＰ通信が可能なＶｏＩＰ対応ネットワーク４０を接続するためのインタフェースである。電話機インタフェース４は、アナログ電話機２０を接続するためのインタフェースである。ＰＳＴＮインタフェース５は、アナログ電話回線であるＰＳＴＮ公衆回線３０を接続するためのインタフェースである。
【０００６】
スイッチ６は、電話機２０の通話をアナログ通話としてＰＳＴＮ公衆回線３０に接続するか、ＩＰ電話としてＶｏＩＰ対応ネットワーク４０に接続するかを切替える。桁間タイマ設定テーブル７には、電話機２０からダイヤルされる電話番号のダイヤル完了を判定するための時間（桁間タイマ値）が設定されている。ダイヤル番号送出部８は、制御部２で受け取られる電話機２０からダイヤルされた電話番号をＰＳＴＮ公衆回線３０に送出する。スイッチ制御部１０は、スイッチ６の接続方向を制御する。コーデック１１は、電話機２０からの音声データをＶｏＩＰ用にデジタルデータへ変換する機能及び電話機２０からのダイヤル番号を認識する機能を有する。
【０００７】
次に、図３に示した従来のターミナル装置１００の動作について説明する。なお、ターミナル装置１００は、ＩＰ電話であるＶｏＩＰ機能が使用可能な状態であり、スイッチ６をコーデック１１側に接続しているものとする。また、桁間タイマ設定テーブル７には桁間タイマ値として５秒が設定されているものとする。      
【０００８】
例えば、緊急電話（「１１０」や「１１９」等）のようにＶｏＩＰ機能では使用できない電話番号が存在しており、この場合、ターミナル装置１００は、電話機２０の発信をＰＳＴＮ公衆回線３０に対して行う必要がある。
【０００９】
ターミナル装置１００においてスイッチ６がコーデック１１側に接続されている状態で、電話機２０が電話番号「１１９」に発信を行った場合、電話機２０から発信ダイヤルの一桁目である「１（１１９の最初の１）」をコーデック１１を介して認識した制御部２は、「１」から始まる電話番号であるため本番号がＰＳＴＮ公衆回線３０へ発信する電話番号であることを判別し、ダイヤル番号送出部８を介してダイヤル番号「１」をＰＳＴＮ公衆回線３０に送出する。
【００１０】
制御部２は、図示せぬ桁間タイマを用いて桁間タイマ設定テーブル７に設定された５秒間だけ次のダイヤル番号が電話機２０から送出されてくるのを待つ。５秒以内に次のダイヤル番号が認識されなかった場合、発信された電話番号は「１」となり、ビジートーンがＰＳＴＮ公衆回線３０から送られてくることになる。ここでは、次に「１（１１９の二桁目）」が電話機２０より送られてくるため、制御部２は、ダイヤル番号送出部８を介してダイヤル番号「１」をＰＳＴＮ公衆回線３０に送出する。続けて「９（１１９の三桁目）」を受信し、ＰＳＴＮ公衆回線３０に送出する。
【００１１】
発信されるべき電話番号は「１１９」であるため、制御部２は、桁間タイマ設定テーブル７に設定された５秒の間次のダイヤル番号を認識しないことになり、「９」の受信から５秒後に制御部２はダイヤル発信が終了したとみなし、スイッチ制御部１０によりスイッチ６をＰＳＴＮ公衆回線３０側に切替える。これにより、発信相手（ここでは「１１９」）との通話が可能となる。
【００１２】
また、特許文献１には、電話端末を公衆回線側またはＩＰネットワーク側に接続可能なセレクタを有し、電話端末より相手先電話番号が発呼され、この電話番号を基に公衆回線への発信と判断されると、電話端末を公衆回線側に接続するようにセレクタを切替えて発信を行うようにしたアダプタ装置が記載されている。      
【００１３】
【特許文献１】特開２００３−１０１６６９号公報（第５−６頁、第１−４図）
【発明の開示】
【発明が解決しようとする課題】
【００１４】
図３に示したターミナル装置１００では、発信相手（ここでは「１１９」）が最終桁  「９」がＰＳＴＮ公衆回線３０に送出された後、桁間タイマ設定テーブル７に設定された５秒間着信応答せずに、５秒以上経過して応答した場合は、電話機２０は発信相手「１１９」と正常に通話が可能となる。
【００１５】
しかし、制御部２は最終桁「９」の受信から桁間タイマ設定テーブル７に設定された５秒後にスイッチ６をＰＳＴＮ公衆回線３０側に切替えるようにしているので、発信相手が５秒以内に着信応答した場合、スイッチ６はコーデック１１側に接続されていることになり、よって、相手からの通話が５秒間経過してスイッチ６が切り替わるまで電話機２０では聞こえないことになる。
【００１６】
例えば、ダイヤル番号「９（１１９の最終番号）」発信から２秒後に発信相手が応答した場合、発信相手が「はい、こちらは○○○です。」と話した内容が、電話機２０では  「は○○○です。」と聞こえ、通話の頭（開始部分）３秒間の「はい、こちら」の部分が聞こえない状態となる。
【００１７】
このように、図３に示したターミナル装置１００では、電話機２０からのダイヤル情報の入力の終了を桁間タイマを用いて確認し、この桁間タイマの満了に応答してスイッチ６を制御して電話機２０の接続を切替えているが、桁間タイマの満了前に発信相手が応答した場合、スイッチ６の切替が発信相手が通話開始した後になり、発信相手からの通話の頭が切れてしまうという問題があった。
【００１８】
一方、特許文献１記載のアダプタ装置では、電話端末を公衆回線側に接続するようにセレクタを切替えて発信を行うようにしているので、図３のターミナル装置１００における上述の問題は発生しないが、図３のターミナル装置１００より発信に遅れが生じるという問題がある。
【００１９】
本発明の目的は、発信相手からの通話の頭が切れることなく通話を行うことができるターミナル装置及びその動作制御方法並びにプログラムを提供することである。
【課題を解決するための手段】
【００２０】
本発明によるターミナル装置は、電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置であって、前記電話機から前記第１の通信回線への発信に対する発信相手の着信応答を検出する応答検出手段を含み、前記スイッチ手段は、前記応答検出手段による着信応答の検出に応答して前記電話機の接続を前記第１の通信回線側へ切替えることを特徴とする。
【００２１】
また、前記ターミナル装置において、前記電話機から前記第１の通信回線への発信の際に入力されるダイヤル情報の１桁毎の時間間隔を基に前記ダイヤル情報の入力の終了を判定する第１の判定手段を含み、前記スイッチ手段は、着信応答なく前記第１の判定手段により前記ダイヤル情報の入力終了と判定されると、前記電話機の接続を前記第１の通信回線側へ切替えることを特徴とする。
【００２２】
また、前記ターミナル装置において、前記電話機からダイヤル情報の各桁が入力される度に前記第１の通信回線への発信か否か判定する第２の判定手段と、前記第２の判定手段により前記第１の通信回線への発信と判定されると既に入力された前記ダイヤル情報の各桁を前記スイッチ手段により前記電話機の接続を前記第１の通信回線側へ切替えることなく前記第１の通信回線に送出すると共に、以降に入力される前記ダイヤル情報の各桁を前記スイッチ手段により前記電話機の接続を前記第１の通信回線側へ切替えることなく前記第１の通信回線に順次送出して発信を行う手段とを含むことを特徴とする。
【００２３】
また、前記ターミナル装置において、前記第１の通信回線はＰＳＴＮ（Ｐｕｂｌｉｃ  Ｓｗｉｔｃｈｅｄ  Ｔｅｌｅｐｈｏｎｅ  Ｎｅｔｗｏｒｋ）回線であり、前記第２の通信回線はＩＰ（Ｉｎｔｅｒｎｅｔ  Ｐｒｏｔｏｃｏｌ）網であることを特徴とする。
【００２４】
本発明による動作制御方法は、電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置の動作制御方法であって、前記電話機から前記第１の通信回線への発信に対する発信相手の着信応答を検出するステップと、着信応答の検出に応答して前記スイッチ手段により前記電話機の接続を前記第１の通信回線側へ切替えるステップとを含むことを特徴とする。
【００２５】
本発明によるプログラムは、電話番号を用いて通信する第１の通信回線側と通信網上のアドレスを示す識別子を用いて通信する第２の通信回線側のいずれか一方へ電話機を接続するスイッチ手段を有し前記第１の通信回線による通話と前記第２の通信回線による通話を選択可能なターミナル装置の動作制御方法をコンピュータに実行させるためのプログラムであって、前記電話機から前記第１の通信回線への発信に対する発信相手の着信応答を検出するステップと、着信応答の検出に応答して前記スイッチ手段により前記電話機の接続を前記第１の通信回線側へ切替えるステップとを含むことを特徴とする。
【００２６】
このように、本発明では、電話機からＰＳＴＮ回線への発信に対する発信相手の着信応答を検出する応答検出手段を設け、この応答検出手段による着信応答の検出に応答して、電話機をＰＳＴＮ回線側とＩＰ網側のいずれか一方へ接続するスイッチ手段が電話機をＰＳＴＮ回線側に接続するようにしているので、電話機がＩＰ網側に接続されている状態で電話機からＰＳＴＮ回線への発信が行われ、発信の際のダイヤル情報の入力の完了と判断される桁間タイマの満了前に発信相手が応答した場合であっても、この応答時に切替を行うことにより通話の頭が切れてしまうことを防止することができる。
【発明の効果】
【００２７】
本発明によれば、電話番号を用いて通信する第１の通信回線側と通信網上のアドレスを示す識別子を用いて通信する第２の通信回線側のいずれか一方へ電話機を接続するスイッチ手段を有し第１の通信回線による通話と第２の通信回線による通話を選択可能なターミナル装置において、電話機から第１の通信回線への発信に対する発信相手の着信応答を検出し、この着信応答の検出に応答してスイッチ手段により電話機の接続を第１の通信回線側へ切替えることによって、発信相手からの通話の頭が切れることなく通話を行うことができるという効果が得られる。
【発明を実施するための最良の形態】
【００２８】
以下、本発明の実施例について図面を参照して説明する。
【００２９】
図１は本発明の実施例によるターミナル装置の構成を示す図であり、図３と同等部分は同一符号にて示している。図１において、本発明の実施例によるターミナル装置１は、制御部２と、回線インタフェース３と、電話機インタフェース４と、ＰＳＴＮインタフェース５と、スイッチ６と、桁間タイマ設定テーブル７と、ダイヤル番号送出部８と、極性反転検出部９と、スイッチ制御部１０と、コーデック１１とを有している。このように、本発明の実施例によるターミナル装置１は、極性反転検出部９を有する点で図３の従来のターミナル装置１００と異なる。
【００３０】
ターミナル装置１は、電話機２０を接続可能であり、電話機２０をアナログの公衆回線であるＰＳＴＮ公衆回線３０とＩＰ電話の送受が可能であるＶｏＩＰ対応ネットワーク４０に対して選択して接続することができる。なお、電話機２０はターミナル装置１に内蔵されていてもよい。
【００３１】
極性反転検出部９は、電話機２０からＰＳＴＮ公衆回線３０への発信に対する発信相手の着信応答を検出する応答検出部である。ＰＳＴＮ公衆回線３０に対して発信を行ったときに発信相手が応答したか否かは、ＰＳＴＮ公衆回線３０より回線の極性が反転することにより通知されるため、極性反転検出部９は、回線の極性反転を検出することにより発信に対する応答を検出する。
【００３２】
制御部２は、ターミナル装置１００の動作を制御するものであり、極性反転検出部９による着信応答の検出に応答して、スイッチ制御部１０によりスイッチ６をＰＳＴＮインタフェース５に接続して電話機２０をＰＳＴＮ公衆回線３０に接続する。
【００３３】
なお、その他の構成要素については、図３におけるそれと同様であり既に説明したので、その説明を省略する。また、ＶｏＩＰ機能によるＩＰ電話機能及びＰＳＴＮ公衆回線３０に対する接続機能は、当業者にとってよく知られており、また本発明とは直接関係しないので、その詳細な構成及び説明は省略する。
【００３４】
次に、本発明の実施例によるターミナル装置１の動作について図面を参照して説明する。図２は図１に示したターミナル装置１の動作を示すフローチャートである。
【００３５】
例えば、緊急電話（「１１０」や「１１９」等）のようにＶｏＩＰ機能では使用できない電話番号が存在しており、この場合、ターミナル装置１は、電話機２０の発信をＰＳＴＮ公衆回線３０に対して行う必要がある。
【００３６】
以下、電話番号「１１９」に発信を行う場合を例にとり本発明の実施例によるターミナル装置１の動作について説明する。なお、ターミナル装置１は、ＩＰ電話であるＶｏＩＰ機能が使用可能な状態であり、スイッチ６をコーデック１１側に接続しているものとする。また、桁間タイマ設定テーブル７には桁間タイマ値として５秒が設定されているものとする。
【００３７】
ターミナル装置１においてスイッチ６がコーデック１１側に接続されている状態で、電話機２０が電話番号「１１９」に発信を行った場合、制御部２は、電話機２０から発信ダイヤルの一桁目である「１（１１９の最初の１）」をコーデック１１を介して受信すると（ステップＳ１）、図示せぬ桁間タイマを起動すると共に当該発信がＰＳＴＮ公衆回線３０への発信であるか否かを判断する（ステップＳ２）。
【００３８】
すなわち、制御部２は受信されたダイヤル番号を図示せぬメモリに予め登録されている番号と比較し、受信ダイヤル番号と一致する番号がメモリに存在する場合に、ＰＳＴＮ公衆回線３０への発信であると判断する。メモリには番号「１」が登録されているので、「１１９」の一桁目である「１」を電話機２０から受信した制御部２は、ＰＳＴＮ公衆回線３０への発信であると判断し（ステップＳ２，ＹＥＳ）、ステップＳ５に進む。
【００３９】
なお、メモリには番号「１」の他にも、ＰＳＴＮ公衆回線３０への発信と判断するための番号が登録されていてもよい。例えば、番号「ＸＹ」がメモリに登録されており、電話機２０が電話番号「ＸＹＺ・・」に発信を行う場合、ステップＳ１において一桁目「Ｘ」が受信された時点では、まだＰＳＴＮ公衆回線３０への発信とは判断されない（ステップＳ２，ＮＯ）。そして、一桁目「Ｘ」の受信に応答して起動された桁間タイマがタイムアップする前に、すなわち一桁目「Ｘ」の受信から５秒（桁間タイマ値）経過する前に（ステップＳ４，ＮＯ）、二桁目「Ｙ」が受信されると（ステップＳ３，ＹＥＳ）、制御部２は桁間タイマを停止して再び起動すると共に、受信ダイヤル番号「ＸＹ」を基に再び判定を行ってＰＳＴＮ公衆回線３０への発信と判断し（ステップＳ２，ＹＥＳ）、ダイヤル番号送出部８を介して受信ダイヤル番号「ＸＹ」をＰＳＴＮ公衆回線３０に順次送出する  （ステップＳ５）。なお、ＰＳＴＮ公衆回線３０への発信と判断されていない状態で（ステップＳ２，ＮＯ）、次桁の番号を受信することなく桁間タイマがタイムアップした場合には（ステップＳ４，ＹＥＳ）、ＶｏＩＰ機能による発信が行われる。
【００４０】
電話番号「１１９」に発信を行う先の例に戻り、「１１９」の一桁目「１」を受信してＰＳＴＮ公衆回線３０への発信と判断された後（ステップＳ２，ＹＥＳ）、制御部２は、ダイヤル番号送出部８を介してダイヤル番号「１」をＰＳＴＮ公衆回線３０に送出する（ステップＳ５）。ここでもし、次のダイヤル番号が受信されることなくステップＳ１における受信に応答して起動された桁間タイマがタイムアップすると（ステップＳ８，ＹＥＳ）、制御部２はスイッチ制御部１０によりスイッチ６をＰＳＴＮ公衆回線３０側に切替え（ステップＳ９）、発信された電話番号は「１」となり、ビジートーンがＰＳＴＮ公衆回線３０から送られてくることになる。
【００４１】
制御部２は、ステップＳ１における受信に応答して起動された桁間タイマがタイムアップする前に（ステップＳ８，ＮＯ）、電話機２０から「１（１１９の二桁目）」を受信すると（ステップＳ６，ＹＥＳ）、桁間タイマを停止して再び起動すると共にダイヤル番号送出部８を介してダイヤル番号「１」をＰＳＴＮ公衆回線３０に送出する（ステップＳ５）。続けて同様に「９（１１９の三桁目）」を受信すると（ステップＳ６，ＹＥＳ）、制御部２は桁間タイマを停止して再び起動すると共に、ダイヤル番号送出部８を介してダイヤル番号「９」をＰＳＴＮ公衆回線３０に送出する（ステップＳ５）。
【００４２】
発信されるべき電話番号は「１１９」であるため、ダイヤル番号「９」の送出の後は制御部２は、ステップＳ６における「９」の受信に応答して起動された桁間タイマがタイムアップするまでに次のダイヤル番号を受信することはない。
【００４３】
ダイヤル番号「９」の送出の後、桁間タイマがタイムアップする前に発信相手（「１１９」）が着信応答した場合、ＰＳＴＮ公衆回線３０が回線の極性を反転させることによって応答したことを通知してくる。この極性反転を極性反転検出部９が検出すると（ステップＳ７，ＹＥＳ）、制御部２は発信相手が応答したことを認識し、桁間タイマのタイムアップを待つことなくスイッチ制御部１０によりスイッチ６をＰＳＴＮ公衆回線３０側に切替える（ステップＳ９）。これにより、電話機２０は発信相手と正常に通話を行うことができる。
【００４４】
一方、ダイヤル番号「９」の送出の後、発信相手の着信応答を検出することなく桁間タイマがタイムアップすると（ステップＳ８，ＹＥＳ）、制御部２は、スイッチ制御部１０によりスイッチ６をＰＳＴＮ公衆回線３０側に切替える（ステップＳ９）。
【００４５】
以上説明したように、本発明の実施例では、極性反転検出部９により発信相手の応答を監視してスイッチ６をＰＳＴＮ公衆回線３０側に切替えるようにしているので、ターミナル装置１がＶｏＩＰ機能使用可能な状態時におけるＰＳＴＮ公衆回線３０への発信であっても、発信相手からの通話の頭が切れることを防止でき、電話機２０使用者は正常に通話を開始することができるのである。また、使用者は発信すべき回線を意識することなく電話発信を行うことができる。
【００４６】
なお、図２に示したフローチャートに従ったターミナル装置１の処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００４７】
【図１】本発明の実施例によるターミナル装置の構成を示す図である。
【図２】図１のターミナル装置の動作を示すフローチャートである。
【図３】従来のターミナル装置の構成を示す図である。
【符号の説明】
【００４８】
１    ターミナル装置
２    制御部
３    回線インタフェース
４    電話機インタフェース
５    ＰＳＴＮインタフェース
６    スイッチ
７    桁間タイマ設定テーブル
８    ダイヤル番号送出部
９    極性反転検出部
１０    スイッチ制御部
１１    コーデック
２０    電話機
３０    ＰＳＴＮ公衆回線
４０    ＶｏＩＰ対応ネットワーク
【図１】
2005184161.tif 000003
【図２】
2005184161.tif 000004
【図３】
2005184161.tif 000005